(57)【要約】【課題】投射レンズ周囲の優良な遮光性を実現するとともに、投射レンズを衝撃から保護することのできるプロジェクタを提供すること。【解決手段】レンズおよび鏡筒３１を有する投射レンズ３と、投射位置調整装置８とを備えるプロジェクタであって、フロントケース２３には、投射レンズ３を露出させる開口２３１が形成され、開口２３１が形成されたフロントケース２３内面および鏡筒３１の間に移動抑制機構１０を備え、移動抑制機構１０は、開口２３１周縁に固定され、開口２３１を囲み投射方向に直交する平面に沿って延出するベースプレート１１と、鏡筒３１の外周面に固定され外周面から外側に広がるように延出し、少なくともベースプレート１１と投射方向に平面的に干渉するフランジリング１２と、ベースプレート１１およびフランジリング１２の間に介在配置されるクッションリング１３とを備える。【選択図】図１３
2007078859.tif 000002
【特許請求の範囲】
【請求項１】
光源、光源から射出された光束を画像情報に応じて変調して光学像を形成する光変調装置、少なくとも１つのレンズおよび前記レンズを内部に収納する鏡筒を有し、前記光変調装置にて形成された光学像を拡大投射する投射光学装置、および、前記投射光学装置を投射方向に直交する面内で移動させ前記投射光学装置の投射位置を調整する投射位置調整装置を含む画像投射装置と、前記画像投射装置を収納する外装筐体とを備えるプロジェクタであって、
前記外装筐体には、前記投射光学装置における前記投射方向先端側を外部に露出させる開口が形成され、
前記開口が形成された前記外装筐体内面および前記鏡筒の間には、前記投射位置光学装置における前記投射方向に直交する平面に対する面外方向の移動を抑制する移動抑制機構を備え、
前記移動抑制機構は、
前記筐体内面の前記開口周縁に固定され、前記開口を囲み前記投射方向に直交する平面に沿って延出する筐体側延出体と、
前記鏡筒の外周面に固定され前記外周面から外側に広がるように延出し、当該プロジェクタを組み立てた状態で、少なくとも前記筐体側延出体と前記投射方向に平面的に干渉する鏡筒側延出体と、
前記筐体側延出体および前記鏡筒側延出体の間に介在配置される弾性体とを備えることを特徴とするプロジェクタ。
【請求項２】
請求項１に記載のプロジェクタにおいて、
前記鏡筒側延出体は、前記投射方向に平行する平面にて分割形成された一対の延出片で構成されていることを特徴とするプロジェクタ。
【発明の詳細な説明】
【技術分野】
【０００１】
本発明は、プロジェクタに関する。
【背景技術】
【０００２】
従来、光源ランプ、この光源ランプから射出された光束を画像情報に応じて変調する液晶パネル、および、変調された光束を外部へ拡大投射する投射レンズを含む画像投射装置と、この画像投射装置を収納配置する筺体とを備えるプロジェクタが知られている。
プロジェクタを使用する際に、プロジェクタの設置姿勢はそのままに、投射画像をスクリーン上の高さ方向および左右方向にずらして表示させたい場合がある。このような要望に対して、従来のプロジェクタには、投射レンズを投射方向に対して直交する面内で移動させることのできる投射位置調整装置を備えているものがある。
投射位置調整装置は、ユーザの操作に応じて投射方向に対して直交する面内を移動する移動体を備えている。投射レンズは、この移動体に形成された開口に投射レンズの鏡筒が嵌合されることにより、投射位置調整装置に支持されるとともに、投射方向に対して直交する面内を移動される。
しかし、このような投射位置調整装置を備えるプロジェクタでは、投射レンズが移動した際に、投射レンズと、投射レンズを露出させるために筐体に形成された開口との間に隙間が生じてしまい、遮光性の悪化や粉塵等が侵入しやすくなるという課題があった。
このような課題に対し、投射レンズが移動しても、投射レンズと筐体の開口との隙間を遮蔽することのできる遮蔽部材を備えたプロジェクタが提供されている（例えば、特許文献１参照）。
【０００３】
【特許文献１】特開２００４−２０５６８６号公報
【発明の開示】
【発明が解決しようとする課題】
【０００４】
しかしながら、特許文献１に記載のプロジェクタが落下等により衝撃を受けた場合、重量の大きい投射レンズが投射位置調整装置の移動体に嵌合されて支持されていることから、衝撃による投射レンズの振動は激しいものとなる。このため、投射レンズが筐体内面等に衝突し、各部材が損傷する恐れがある。
【０００５】
本発明の目的は、投射レンズ周囲の優良な遮光性を実現するとともに、投射レンズを衝撃から保護することのできるプロジェクタを提供することである。
【課題を解決するための手段】
【０００６】
前記した目的を達するために、本発明のプロジェクタは、光源、光源から射出された光束を画像情報に応じて変調して光学像を形成する光変調装置、少なくとも１つのレンズおよび前記レンズを内部に収納する鏡筒を有し、前記光変調装置にて形成された光学像を拡大投射する投射光学装置、および、前記投射光学装置を投射方向に直交する面内で移動させ前記投射光学装置の投射位置を調整する投射位置調整装置を含む画像投射装置と、前記画像投射装置を収納する外装筐体とを備えるプロジェクタであって、前記外装筐体には、前記投射光学装置における前記投射方向先端側を外部に露出させる開口が形成され、前記開口が形成された前記外装筐体内面および前記鏡筒の間には、前記投射位置光学装置における前記投射方向に直交する平面に対する面外方向の移動を抑制する移動抑制機構を備え、前記移動抑制機構は、前記筐体内面の前記開口周縁に固定され、前記開口を囲み前記投射方向に直交する平面に沿って延出する筐体側延出体と、前記鏡筒の外周面に固定され前記外周面から外側に広がるように延出し、当該プロジェクタを組み立てた状態で、少なくとも前記筐体側延出体と前記投射方向に平面的に干渉する鏡筒側延出体と、前記筐体側延出体および前記鏡筒側延出体の間に介在配置される弾性体とを備えることを特徴とする。
【０００７】
落下等によりプロジェクタに衝撃が与えられたとき、画像投射装置が激しく振動し、部材間で衝突が生じる恐れがある。特に、投射位置調整装置に支持された投射光学装置は、衝撃による振動が大きく、外装筐体内面に衝突しやすいと考えられる。
これに対し、本発明によれば次のような効果を奏することができる。
すなわち、移動抑制機構を構成する筐体側延出体および鏡筒側延出体が、投射位置方向に平面的に干渉することにより、投射光学装置の筐体内面側への移動を抑止することができる。
さらに、筐体側延出体および鏡筒側延出体は、ともに投射方向に直交する方向に延出する平面を有し、これら平面が互いに干渉するので、投射光学装置が筐体内面側へ移動しようとする力をこれら平面上で分散させることができる。
【０００８】
そして、鏡筒側延出体は、投射光学装置の鏡筒の外周面に固定され前記外周面から外側に広がるように延出している。このため、投射光学装置が、鏡筒の筒軸が投射方向から傾く方向に振動したとしても、鏡筒側延出体の一部が筐体側延出体に干渉するので、投射光学装置が傾いて振動した場合でも、投射光学装置が外装筐体内面に衝突することを防ぐことができる。
また、投射光学装置が、開口が形成された外装筐体内面へ向かって振動しようとしても、筐体側延出部および鏡筒側延出部の間に介在された弾性体により、衝撃を吸収することができる。
従って、本発明のプロジェクタは、投射光学装置における投射方向に直交する平面に対する面外方向の移動を抑制するため、落下等による衝撃から投射光学装置を保護することができる。
【０００９】
弾性体は、筐体側延出体および鏡筒側延出体の間に介在配置されているため、開口と投射光学装置の隙間を通して異物が侵入したり光が漏洩したりすることはない。従って、本発明のプロジェクタは、投射光学装置周辺の外装筐体内部の優良な遮光性および遮蔽性を実現することができる。
【００１０】
本発明では、前記鏡筒側延出体は、前記投射方向に平行する平面にて分割形成された一対の延出片で構成されていることが好ましい。
鏡筒側延出体は、投射光学装置の鏡筒の外周面から外側に広がるように延出されているため、環状部材と考えられる。しかしながら、環状部材では、成型および鏡筒への嵌合が困難である。
これに対し、本発明によれば、鏡筒側延出体は、投射方向に平行する平面にて分割形成された一対の延出片で構成されているため、延出片は、環状部材を径方向に２つに分割させた形状を有する。従って、鏡筒側延出体の成型が容易となり、さらに、一対の延出片を鏡筒を介して接合させれば、鏡筒側延出体を鏡筒へ容易に嵌合させることができる。
【発明を実施するための最良の形態】
【００１１】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された画像光を拡大投射する。
【００１２】
外装筺体２は、合成樹脂製の筺体であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）とを備える。
アッパーケース２１は、図１または図２に示すように、外装筺体２の天面、側面の一部、背面の一部、および前面の一部をそれぞれ形成する天面部２１Ａ、側面部２１Ｂ（図２），２１Ｃ（図１）、背面部２１Ｄ（図２）、および前面部２１Ｅ（図１）を含んで構成される。
【００１３】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、２つの開口部２１Ａ１，２１Ａ２が形成されている。この２つの開口部２１Ａ１，２１Ａ２は、投射レンズ３を操作可能としスクリーン（図示略）上に投射された投影画像の投射位置調整を実施するためのダイアル８６１，８７１の一部をそれぞれ露出させる。
【００１４】
具体的には、図１に示すように、上面の前方側であって、前方から見て右側の開口部２１Ａ１からは、後述する投射位置調整装置８（図６、図７）を構成するダイアル８６１が露出している。前方から見て左側の開口部２１Ａ２からは、同じく投射位置調整装置８を構成するダイアル８７１が露出している。
図１または図２に示すように、２つのダイアル８６１，８７１のうち、ダイアル８６１をＹ１方向（前方向）に回転させると、投射レンズ３が−Ｙ方向（下方）に動き、ダイアル８６１をＹ２方向（後方向）に回転させると、投射レンズ３が＋Ｙ方向（上方）に動くこととなる。また、ダイアル８７１をＸ１方向（プロジェクタ１後方から見て右方向）に回転させると、投射レンズ３が−Ｘ方向（右方向）に動き、ダイアル８７１をＸ２方向（プロジェクタ１後方から見て左方向）に回転させると、投射レンズ３が＋Ｘ方向（左方向）に動くこととなる。
なお、投射位置調整装置８の詳細な構造については後述する。
【００１５】
また、この天面部２１Ａにおいて、開口部２１Ａ１の後方側には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、制御基板（図示略）と電気的に接続され、操作ボタン２４１の押下に伴う操作信号は、前記制御基板に出力される。
【００１６】
側面部２１Ｂ，２１Ｃ、背面部２１Ｄ、および前面部２１Ｅは、図１または図２に示すように、天面部２１Ａにおける平面視矩形形状の各端縁から略垂下する部分である。
これらのうち背面部２１Ｄにおいて、背面側から見て左側部分には、図２に示すように、下端縁から上方側に向けて平面視コ字状の切り欠き２１Ｄ１が形成されている。
また、前面部２１Ｅには、図１に示すように、下端縁から上方側に向けて平面視コ字状の切り欠き２１Ｅ１が形成されている。
【００１７】
ロアーケース２２は、図１または図２に示すように、外装筺体２の底面、側面の一部、背面の一部、および前面の一部をそれぞれ形成する底面部２２Ａ、側面部２２Ｂ（図２），２２Ｃ（図１）、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００１８】
側面部２２Ｂ，２２Ｃ、背面部２２Ｄ、および前面部２２Ｅは、図１または図２に示すように、底面部２２Ａにおける平面視矩形形状の各端縁から上方に立設する部分である。
これらのうち背面部２２Ｄにおいて、背面側から見て左側部分には、図２に示すように、上端縁から下方側に向けて平面視コ字状の切り欠き２２Ｄ１が形成されている。そして、アッパーケース２１およびロアーケース２２を組み合わせた状態で切り欠き２１Ｄ１，２２Ｄ１が接続して開口部２５が形成される。この開口部２５には、図２に示すように、該開口部２５の形状に対応した外形形状を有する接続端子設置部２６が嵌合固定される。
この接続端子設置部２６は、図２に示すように、背面部２１Ｄ，２２Ｄの端面よりも内側に窪む断面略コ字形状を有し、底部分に複数の孔２６１が形成されている。そして、図２に示すように、これら複数の孔２６１を介して、外部の電子機器からの画像信号、音声信号等を入力するための複数の接続端子２７が露出している。また、この接続端子設置部２６の内側には、接続端子２７から入力される信号を処理するインターフェース基板（図示略）が配置されている。
なお、前記インターフェース基板は、制御基板（図示略）と電気的に接続され、インターフェース基板にて処理された信号は、制御基板に出力される。
【００１９】
また、背面部２２Ｄにおいて、切り欠き２２Ｄ１の下方側には、図２に示すように、２つの開口部２２Ｄ２，２２Ｄ３が形成されている。そして、図２に示すように、背面側から見て左側に位置する開口部２２Ｄ２を介して内部のインレットコネクタ２８が露出し、外部の電力をプロジェクタ１の装置本体に供給可能としている。また、図２に示すように、背面側から見て右側に位置する開口部２２Ｄ３を介して電源スイッチ２９が露出し、該電源スイッチ２９を切り替えることで、プロジェクタ１の主電源のＯＮ／ＯＦＦが可能となる。
なお、この電源スイッチ２９は、制御基板（図示略）と電気的に接続され、電源スイッチ２９の切り替えに伴う操作信号は、前記制御基板に出力される。
【００２０】
また、前面部２２Ｅには、図１に示すように、上端縁から下方側に向けて平面視コ字状の切り欠き２２Ｅ１が形成されている。そして、アッパーケース２１およびロアーケース２２が組み合わされた状態で、前面部２１Ｅの切り欠き２１Ｅ１のコ字状内側部分、および前面部２２Ｅの切り欠き２２Ｅ１のコ字状内側部分にてフロントケース２３が支持固定される。
【００２１】
フロントケース２３は、図１に示すように、左右方向に延びる略楕円形状を有し、アッパーケース２１およびロアーケース２２と接続することで、切り欠き２１Ｅ１，２２Ｅ１にて形成される開口部分を閉塞する。
このフロントケース２３において、前方から見て右側部分には、図１に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２２】
さらに、このフロントケース２３において、前方から見て左側部分には、図１に示すように、プロジェクタ１内部にて温められた空気を外部に排出するための平面視矩形状の排気口２３３が形成されている。
また、この排気口２３３周縁部分は、図１に示すように、内部に向けて突出する筒形状を有するように形成されている。より具体的には、排気口２３３周縁部分は、投射レンズ３に近接する方向に向けて投射レンズ３からの投射方向に対して傾斜して突出する筒形状を有するように形成されている。そして、排気口２３３の筒状内側部分には、図１に示すように、上下に架設され、排気口２３３周縁部分の突出方向に延出する複数の羽根板２３３Ａが形成されている。
【００２３】
〔２．内部構成〕
図３および図４は、プロジェクタ１の内部構成を示す図である。具体的に、図３は、アッパーケース２１および制御基板を取り外した状態を前面上方側から見た斜視図である。図４は、アッパーケース２１および制御基板を取り外した状態を背面上方側から見た斜視図である。
外装筺体２の内部には、図３または図４に示すように、プロジェクタ１の装置本体が収容されている。この装置本体は、画像投射装置としての光学ユニット４と、電源ユニット５と、冷却ユニット６等を含んで構成される。
なお、装置本体は、図示は省略するが、光学ユニット４、電源ユニット５、および冷却ユニット６の他、光学ユニット４の上方側に配置されプロジェクタ１全体を制御する制御基板等を備えている。
【００２４】
〔３．光学ユニットの詳細な構成〕
図５は、光学ユニット４の光学系を模式的に示す平面図である。
光学ユニット４は、前記制御基板による制御の下、画像情報に応じて画像光を形成する。この光学ユニット４は、図３または図４に示すように、外装筺体２内において、背面部２２Ｄに沿って左右方向に延び、側面部２２Ｂに沿って前方に延びる平面視Ｌ字形状を有している。
この光学ユニット４は、図５に示すように、インテグレータ照明光学系４１と、色分離光学系４２と、リレー光学系４３と、電気光学装置４４と、これらの光学部品４１〜４４を内部に収納するとともに、投射レンズ３を所定位置で支持固定する合成樹脂製の光学部品用筐体４５とを備える。
インテグレータ照明光学系４１は、電気光学装置４４を構成する後述する各液晶パネルの画像形成領域をほぼ均一に照明するための光学系である。このインテグレータ照明光学系４１は、図５に示すように、光源装置４１１と、第１レンズアレイ４１２と、第２レンズアレイ４１３と、偏光変換素子４１４と、重畳レンズ４１５とを備えている。
【００２５】
光源装置４１１は、放射状の光線を射出する光源としての光源ランプ４１１Ａと、この光源ランプ４１１Ａから射出された放射光を反射するリフレクタ４１１Ｂと、ランプハウジング４１１Ｃ（図３ないし図５）とを備える。光源ランプ４１１Ａとしては、ハロゲンランプやメタルハライドランプ、または高圧水銀ランプが用いられることが多い。リフレクタ４１１Ｂとしては、放物面鏡を用いている。なお、放物面鏡の他、平行化凹レンズと共に楕円面鏡を用いてもよい。
ランプハウジング４１１Ｃは、光源ランプ４１１Ａおよびリフレクタ４１１Ｂを内部に収納するものであり、ロアーケース２２の底面部分に取り付けられるとともに光学部品用筐体４５と接続する。
【００２６】
第１レンズアレイ４１２は、光軸方向から見てほぼ矩形状の輪郭を有する小レンズがマトリクス状に配列された構成を有している。各小レンズは、光源ランプ４１１Ａから射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を後述する液晶パネル上に結像させる機能を有している。
【００２７】
偏光変換素子４１４は、第２レンズアレイ４１３の光路後段に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１Ａからの光束の略半分が利用されない。このため、偏光変換素子４１４を用いることにより、光源ランプ４１１Ａから射出された光束を略全て１種類の偏光光に変換し、電気光学装置４４での光の利用効率を高めている。
【００２８】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００２９】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１３から射出された各部分光束をその中心軸（主光線）に対して平行な光束に変換する。他の緑色光および青色光用の液晶パネルの光入射側に設けられたフィールドレンズ４１７も同様である。
【００３０】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路の長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００３１】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、クロスダイクロイックプリズム４４３とを備えている。
液晶パネル４４１は、例えば、ポリシリコンＴＦＴ(Thin Film Transistor)をスイッチング素子として用いたものであり、色分離光学系４２で分離された各色光は、これら３枚の液晶パネル４４１とこれらの光束入射側および射出側にある偏光板４４２によって、画像情報に応じて変調されて光学像を形成する。
【００３２】
偏光板４４２は、液晶パネル４４１の光路前段および光路後段に配置される入射側偏光板４４２Ａ、射出側偏光板４４２Ｂを備える。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４５を構成する後述する位置調整機構により、光学部品用筐体４５内に設定される所定の照明光軸に対して位置調整可能に配置されている。
【００３３】
射出側偏光板４４２Ｂも、入射側偏光板４４２Ａと略同様に構成され、液晶パネル４４１から射出された光束のうち、所定方向の偏光光のみ透過させ、その他の光束を吸収するものである。また、基板を用いずに、偏光膜をクロスダイクロイックプリズム４４３に貼り付けてもよく、あるいは、基板をクロスダイクロイックプリズム４４３に貼り付けてもよい。
これらの入射側偏光板４４２Ａ、射出側偏光板４４２Ｂは、互いの偏光軸の方向が直交するように設定されている。
【００３４】
視野角補正板４４４は、基板上に液晶パネル４４１で形成された光学像の視野角を補正する機能を有する光学変換膜が形成されたものである。このような視野角補正板４４４を配置することにより、黒画面時の光漏れを低減し投射画像のコントラストが大幅に向上する。そして、この視野角補正板４４４は、入射側偏光板４４２Ａと略同様に、光学部品用筐体４５を構成する後述する位置調整機構により、光学部品用筐体４５内に設定される所定の照明光軸に対して位置調整可能に配置されている。
【００３５】
クロスダイクロイックプリズム４４３は、３枚の液晶パネル４４１から射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００３６】
以上説明した各光学系４１〜４４は、光学部品用筺体４５内に収容されている。
光学部品用筐体４５は、図３ないし図５に示すように、内部に光源装置４１１から射出された光束の照明光軸Ａ（図５）が設定され、前述の各光学部品４１２〜４１５，４１７，４２１〜４２３，４３１〜４３４，４４２Ａ，４４４を上方からスライド式に嵌め込む溝部（図示略）がそれぞれ設けられた容器状の部品収納部材４５１（図３、図５）と、部品収納部材４５１の上部の開口を閉塞する蓋状の蓋状部材４５２と、蓋状部材４５２の一部を含み、入射側偏光板４４２Ａおよび視野角補正板４４４の双方の位置調整を実施する位置調整機構４４５（図３、図４）とを備えて構成されている。
また、平面視略Ｌ字状の光学部品用筐体４５の一端側には、照明光軸Ａ（図５）に対する所定位置に光源装置４１１が配設され、他端側には、照明光軸Ａに対する所定位置に投射レンズ３が固定されている。また、投射レンズ３の光路前段には、電気光学装置４４が固定されている。さらに、投射レンズ３の鏡筒は、後述する投射位置調整装置８に取り付けられている。
【００３７】
〔４．電源ユニットの構成〕
電源ユニット５は、インレットコネクタ２８（図２）を介して外部から供給された電力を各構成部材に供給するものである。この電源ユニット５は、図３または図４に示すように、光学ユニット４の光源装置４１１の側方であって、外装筺体２の側面部２２Ｃに沿って配設される。この電源ユニット５は、図３または図４に示すように、電源ブロック５１と、ランプ駆動ブロック５２とを備える。
電源ブロック５１は、光源装置４１１の側方に配設され、インレットコネクタ２８を介して外部から供給された電力をランプ駆動ブロック５２および前記制御基板等に供給する。この電源ブロック５１は、入力される交流を所定の電圧に変換するトランスや該トランスからの出力を所定の電圧の直流に変換する変換回路等が片面に実装された回路基板（図示略）と、この回路基板を覆う箱状部材５１１とを備える。
箱状部材５１１は、図３または図４に示すように、光源装置４１１とで略Ｌ字形状を有するように、前後方向に延出する形状を有している。そして、この箱状部材５１１には、背面側に冷却ユニット６からの空気を内部に導入するための第１導入口５１１Ａ（図４）が形成され、光源装置４１１とで形成される略Ｌ字形状の内側端面に内部の空気を外部に排出するための排出口５１１Ｂ（図３）が形成されている。また、図示は省略するが、この箱状部材５１１には、光源装置４１１から離間する側の端面にランプ駆動ブロック５２から排出された空気を導入するための第２導入口が形成されている。
【００３８】
ランプ駆動ブロック５２は、電源ブロック５１の側方で側面部２１Ｃ，２２Ｃに沿って配設され、光源装置４１１に安定した電圧で電力を供給するための変換回路等が片面に実装された回路基板（図示略）を備え、電源ブロック５１から入力した商用交流電流は、このランプ駆動ブロック５２によって整流、変換されて、直流電流や交流矩形波電流となって光源装置４１１に供給される。また、ランプ駆動ブロック５２の前記回路基板は、電源ブロック５１と同様に、箱状部材５２１内部に収納されている。
箱状部材５２１は、図３または図４に示すように、箱状部材５１１と平行に前後方向に延出する形状を有している。そして、この箱状部材５２１には、背面側に冷却ユニット６からの空気を内部に導入するための導入口５２１Ａ（図４）が形成され、箱状部材５１１と対向する側の端面に、箱状部材５１１の前記第２導入口に対応して、内部の空気を外部に排出するための排出口（図示略）が形成されている。
【００３９】
〔５．冷却ユニットの構成〕
冷却ユニット６は、プロジェクタ１内部の構成部材を冷却するものである。この冷却ユニット６は、図３または図４に示すように、電源ユニット５を主に冷却する電源ユニット冷却部６１と、プロジェクタ１内部の空気を外部に排出するための光源装置冷却部６２等を含んで構成される。
なお、具体的な図示は省略するが、冷却ユニット６は、各液晶パネル４４１や偏光変換素子４１４を冷却するための冷却ファンやダクトで構成される液晶パネル冷却部等も備えている。
【００４０】
電源ユニット冷却部６１は、図３または図４に示すように、光源装置４１１および電源ユニット５と外装筺体２の背面部２１Ｄ，２２Ｄとの間の空間に配設される。この電源ユニット冷却部６１は、図３または図４に示すように、吸気側ダクト６１１と、シロッコファン６１２と、第１排気側ダクト６１３とを備える。そして、電源ユニット冷却部６１は、シロッコファン６１２の駆動により、プロジェクタ１外部の冷却空気を、ロアーケース２２に形成された吸気口（図示略）〜吸気側ダクト６１１〜シロッコファン６１２〜排気側ダクト６１３の空気流通路を辿って電源ユニット５を構成する各箱状部材５１１，５２１の各導入口５１１Ａ，５２１Ａを介して各箱状部材５１１，５２１内部に導入する。電源ユニット５のうち箱状部材５２１内部に導入された空気は、箱状部材５２１の排出口（図示略）および箱状部材５１１の第２導入口（図示略）を介して箱状部材５１１内部に導入される。箱状部材５２１内部において、導入口５２１Ａから排出口へと空気が流通する際に、ランプ駆動ブロック５２の回路基板が冷却される。また、電源ユニット５のうち箱状部材５１１内部に導入された空気は、排出口５１１Ｂを介して、箱状部材５１１および光源装置４１１で形成される略Ｌ字形状の内側部分に排出される。箱状部材５１１内部において、第１導入口５１１Ａおよび第２導入口から排出口５１１Ｂへと空気が流通する際に、電源ブロック５１の回路基板が冷却される。
【００４１】
光源装置冷却部６２は、図３または図４に示すように、光源装置４１１および箱状部材５１１で形成される略Ｌ字形状の内側部分に配設される。この光源装置冷却部６２は、図３または図４に示すように、軸流ファン６２１と、第２排気側ダクト６２２とを備える。そして、光源装置冷却部６２は、軸流ファン６２１の駆動により、光源装置４１１および箱状部材５１１で形成される略Ｌ字形状の内側部分の空気（電源ユニット５を介して排出された空気等）や、その他の空間の空気を、軸流ファン６２１〜第２排気側ダクト６２２の空気流通路を辿ってフロントケース２３の排気口２３３を介して投射レンズ３の投射方向から離間する方向にプロジェクタ１外部へと排出する。より具体的に、光源装置４１１を構成するランプハウジング４１１Ｃには、図３または図４に示すように、前後方向に対向する各端面に空気を内外に流通可能とする複数の孔４１１Ｃ１が形成されており、軸流ファン６２１が駆動することにより、複数の孔４１１Ｃ１を介してランプハウジング４１１Ｃ内部の空気が軸流ファン６２１に吸入される。ランプハウジング４１１Ｃ内部において、複数の孔４１１Ｃ１を介して空気が流通する際に、光源ランプ４１１Ａやリフレクタ４１１Ｂが冷却される。
【００４２】
〔６．投射位置調整装置８の構成〕
図６〜図８は、投射位置調整装置８の構造を示す図である。具体的に、図６は、投射位置調整装置８を光路後段側から見た斜視図、図７は、光路前段側から見た斜視図、図８は、投射位置調整装置８の分解斜視図である。
なお、図６〜図８では、説明の便宜上、投射レンズ３からの投射方向をＺ軸、該Ｚ軸と直交する２つの軸をＸ軸（水平軸）およびＹ軸（垂直軸）とする。
【００４３】
〔6-1．投射位置調整装置８の構成〕
投射位置調整装置８は、投射レンズ３の投射位置を調整する。この投射位置調整装置８は、図８に示すように、固定板８１と、第１の移動板８２と、第２の移動板８３と、補助板８４と、支持板８５と、第１の調整駆動部８６と、第２の調整駆動部８７と、付勢部材８８と、シフトカバー８９とを備える。
【００４４】
固定板８１は、光学部品用筐体４５（図５）に固定され、投射位置調整装置８全体を支持する部分である。この固定板８１は、図８に示すように、平面視略矩形形状を有する。
この固定板８１において、略中央部分には、投射レンズ３における鏡筒３１を挿通可能とする平面略円状の開口部８１１が形成されている。
そして、固定板８１における＋Ｚ軸方向端面の開口部８１１周縁部分を第１の移動板８２が摺動することとなる。
【００４５】
この固定板８１には、開口部８１１を囲んで４つの固定用孔８１２が形成されている。そして、これら固定用孔８１２を介して図示しないねじが光学部品用筐体４５の側面に形成された図示しないねじ孔に螺合されることで、固定板８１が光学部品用筐体４５に固定される。
さらに、この固定板８１において、固定板８１のＺ軸方向に直交する端面の周縁部には、図８に示すように、５つの固定用孔８１３がＺ軸方向に貫通されている。この固定用孔８１３にはねじ（図示略）が挿通され、このねじが、後述する補助板８４の固定用筒８４２の筒内で螺合されることにより、固定板８１および補助板８４が接続される。
【００４６】
この固定板８１において、＋Ｘ軸方向端面の＋Ｙ軸方向端部側（上端部側）には、＋Ｘ軸方向に突出する固定用筒８１４が形成されている。固定用筒８１４は、＋Ｘ軸方向端面から−Ｘ軸方向に向かってねじ孔が形成されている。
また、この固定板８１において、＋Ｘ軸方向端面の−Ｙ軸方向端部側（下端部側）には、−Ｘ軸方向に向かって固定用ねじ孔８１５が形成されている。
【００４７】
そして、この固定板８１において、＋Ｙ軸方向端面（上端面）には、図８に示すように、シフトカバー８９を固定するための２つのねじ孔８１６、および、位置決め突起８１７が形成されている。
また、この固定板８１において、＋Ｚ軸方向端面には、図８に示すように、複数の補強リブ８１８が立設されている。このような補強リブ８１８を設けることで、投射位置調整装置８への外力の影響を緩和し、外力による投射位置のずれを抑制している。
【００４８】
第１の移動板８２は、固定板８１よりも小さい平面視略矩形形状を有し、図６および図８に示すように、固定板８１に対して＋Ｚ軸方向側に配置される。この第１の移動板８２は、図８に示すように、固定板８１における＋Ｚ軸方向端面の開口部８１１周縁部分に当接し、Ｙ軸方向およびＸ軸方向に移動可能に構成されている。また、第１の移動板８２は、投射レンズ３を支持固定し、移動することで、投射レンズ３をＹ軸方向およびＸ軸方向に移動する。
この第１の移動板８２において、略中央部分には、図８に示すように、投射レンズ３における鏡筒３１を挿通可能とする開口部８２１が形成されている。
この開口部８２１は、鏡筒３１の外周端部との隙間を小さくするために、鏡筒３１の外形寸法に近い寸法を有するように形成されている。このように形成することで、鏡筒３１と開口部８２１との隙間から光が漏れたり、塵埃等がプロジェクタ１内部に侵入したりすることを回避できる。
【００４９】
この第１の移動板８２において、開口部８２１周縁の四隅位置には、図８に示すように、投射レンズ３におけるフランジ部３２の固定用孔３２１に対応して、固定用孔８２２が形成されている。そして、開口部８２１に投射レンズ３における鏡筒３１を挿通した状態で、＋Ｚ軸方向（投射方向と反対側）から、フランジ部３２の固定用孔３２１を介して、ねじ（図示略）を固定用孔８２２に螺合することで、投射レンズ３が第１の移動板８２に固定される。すなわち、第１の移動板８２は、固定板８１に対向する端面にて投射レンズ３を支持固定する。
【００５０】
さらに、この第１の移動板８２において、＋Ｚ軸方向端面の四隅位置には、図８に示すように、付勢用孔８２３が形成されている。そして、これら付勢用孔８２３には、後述する付勢部材８８がそれぞれ配置される。
そして、この第１の移動板８２において、＋Ｚ軸方向端面の＋Ｘ軸方向端部側には、図８に示すように、−Ｚ軸方向に陥設されＹ軸方向に沿って延びるレール溝８２４が形成されている。
【００５１】
また、この第１の移動板８２において、＋Ｘ軸方向端面のＹ軸方向略中央部分には、図８に示すように、移動突起８２５および移動突起８２６が、＋Ｘ軸方向に突出するようにそれぞれ形成されている。
移動突起８２５，８２６は、ともに後述する支持板８５のトラック孔８５６に挿通される。このうち、移動突起８２５は、支持板８５の−Ｘ軸方向側にて、後述する第１の調整駆動部８６の駆動ギアと係合し、前記駆動ギアの力を受ける。これら移動突起８２５,８２６は、＋Ｘ軸方向端面から−Ｘ軸方向に向かってねじ孔（図示略）が形成されている。
なお、移動突起８２６の＋Ｙ軸方向側には、第１の移動板８２の＋Ｘ軸方向端面から移動突起８２６に沿って突出する補強板８２６Ａが形成されている。この補強板８２６Ａは、−Ｙ軸方向端部が移動突起８２６と一体となっている。
【００５２】
移動突起８２５,８２６の＋Ｘ軸方向端面には、図８に示すように、以下に説明する架橋部材８２７が架橋される。
この架橋部材８２７は、Ｙ軸方向に伸びる長尺部材であり、そのＹ軸方向両端部（上下端部）には、Ｘ軸方向に貫通された固定用孔８２７Ａ,８２７Ｂがそれぞれ形成されている。この固定用孔８２７Ａ,８２７ＢのＹ軸方向の間隔は、移動突起８２５,８２６のＹ軸方向の間隔と一致している。
そして、この架橋部材の固定用孔８２７Ａ,８２７Ｂを介して、移動突起８２５,８２６のねじ孔に螺合するねじ８２７Ｃによって、架橋部材８２７は、移動突起８２５,８２６の＋Ｘ軸方向端面に接合される。
【００５３】
移動突起８２６に架橋部材８２７の形成・接合により、移動突起８２５のＹ軸方向の強度を補強することができる。すなわち、移動突起８２５は、駆動ギアから力を受けるため、Ｙ軸方向に折れやすい恐れがある。しかしながら、移動突起８２５の−Ｙ軸方向側に移動突起８２６を形成し、さらに、架橋部材８２７が、移動突起８２５，８２６に対しＹ軸方向に架橋したことから、移動突起８２５にかかる力を、移動突起８２６および架橋部材８２７へ分散させることができる。さらにまた、移動突起８２６に補強板８２６Ａを形成したことから、移動突起８２６を折れにくくし、なお一層、移動突起８２５を補強することができる。
また、第１の移動体８２は、第２の移動体８３とともに、Ｘ軸方向に移動される。第１の移動体８２が、支持板８１に対し、−Ｘ軸方向に最大限移動できるように、移動突起８２５,８２６および補強板８２６Ａは、Ｘ軸方向に十分に長い寸法を有している。
【００５４】
この第１の移動板８２において、＋Ｚ軸方向端面には、図８に示すように、複数の補強リブ８２８が立設されている。このような補強リブ８２８を設けることで、投射位置調整装置８への外力の影響を緩和し、外力による投射位置のずれを抑制している。
【００５５】
第２の移動板８３は、第１の移動板８２と同様の形状を有し、図８に示すように、第１の移動板８２に対して＋Ｚ軸方向側に配置される。この第２の移動板８３は、Ｘ軸方向に移動可能に構成され、第１の移動板８２と係合し、移動することで第１の移動板８２をＸ軸方向に移動させる。
この第２の移動板８３において、−Ｚ軸方向端面には、第１の移動板８２のレール溝８２４に対応する位置に、Ｙ軸方向に沿って延びる摺動突起８３０が形成されている。摺動突起８３０は、投射位置調整装置８を組み合わせた状態で、第１の移動板８２のレール溝８２４に係合される。これにより、第１の移動板８２は、レール溝８２４および摺動突起８３０により案内されて第２の移動板８３に対してＹ軸方向に移動する。また、第１の移動板８２は、レール溝８２４および摺動突起８３０により、第２の移動板８３のＸ軸方向の移動に連動して、Ｘ軸方向に移動する。
【００５６】
この第２の移動板８３において、略中央部分には、図８に示すように、投射レンズ３における鏡筒３１を挿通可能とする開口部８３１が形成されている。
この開口部８３１は、第２の移動板８３に対して第１の移動板８２が移動し投射レンズ３が移動した際に、鏡筒３１の外周端部と開口部８３１の内周端部とが機械的に干渉しないように、鏡筒３１の外周形状よりも大きい形状を有している。
【００５７】
さらに、この第２の移動板８３において、＋Ｚ軸方向端面の＋Ｙ軸方向側（上方側）の角隅部分には、図８に示すように、−Ｚ軸方向に窪む凹部８３２が成されている。そして、凹部８３２には、第２の調整駆動部８７を構成するダイアルギア、中間ギア、および駆動ギアがそれぞれ配置される。そして、凹部８３２には、図８に示すように、＋Ｚ軸方向に突出し、前記駆動ギアと係合し、前記駆動ギアの力を受ける移動突起８３３が形成されている。
【００５８】
さらにまた、この第２の移動板８３において、＋Ｚ軸方向端面の−Ｙ軸方向端部側には、図８に示すように、＋Ｚ軸方向に突出しＸ軸方向に沿って延び、補助板８４と係合する係合突起８３４が形成されている。
また、この第２の移動板８３において、＋Ｙ軸方向端部（上端部）のＸ軸方向略中央部分には、図８に示すように、ＸＹ平面の断面が略半円状となる凹部８３５が形成されている。そして、この凹部８３５には、後述する付勢部材８８が配置される。
【００５９】
この第２の移動体８３において、凹部８３２を除く＋Ｚ軸方向端面には、図８に示すように、複数の補強リブ８３６が立設されている。このような補強リブ８３６を設けることで、投射位置調整装置８への外力の影響を緩和し、外力による投射位置のずれを抑制している。
【００６０】
補助板８４は、固定板８１と同様の形状を有し、図８に示すように、第２の移動板８３に対して＋Ｚ軸方向側に配置され、固定板８１とで第１の移動板８２および第２の移動板８３を挟装する。
この補助板８４において、略中央部分には、図８に示すように、投射レンズ３における鏡筒３１を挿通可能とする開口部８４１が形成されている。
この開口部８４１は、投射レンズ３が移動した際に、鏡筒３１の外周端部と開口部８４１の内周端部とが機械的に干渉しないように、鏡筒３１の外周形状よりも大きい形状を有している。
【００６１】
この補助板８４において、−Ｚ軸方向端面には、図８に示すように、固定板８１の４つの固定用孔８１３の位置に対応して、−Ｚ軸方向に突出し、固定板８１と接続するための５本の固定用筒８４２が形成されている。
これら固定用筒８４２は、＋Ｚ軸に向かって内部にねじ孔が形成されている。そして、固定用筒８４２を固定板８１の固定用孔８１３に当接した状態で、固定用孔８１３を介してねじを固定用筒８４２のねじ孔に螺合することで、固定板８１に対して補助板８４が固定される。
【００６２】
さらに、この補助板８４において、＋Ｚ軸方向端面の＋Ｙ軸方向側（上方側）で−Ｘ軸方向側の角隅部分には、図８に示すように、−Ｚ軸方向に窪む凹部８４３が形成されている。そして、凹部８４３には、第２の調整駆動部８７を構成するダイアル８７１が配置される。
また、この凹部８４３には、図８に示すように、＋Ｚ軸方向に突出し、内部に挿通孔８４４Ａが形成された軸支部８４４が形成されている。そして、この軸支部８４４は、挿通孔８４４Ａに第２の調整駆動部８７を構成するダイアルギアの回動軸が挿通され、ダイアル８７１および前記ダイアルギアを回転可能に軸支する。
【００６３】
この凹部８４３の裏面（−Ｚ軸方向端面）には、第２の調整駆動部８７の中間ギアを回転可能に軸支する回動軸８４５Ａ（図１０）が形成されている。さらに、−Ｚ軸方向端面には、回動軸８４５Ａの−Ｙ軸方向側（下方側）に、第２の調整駆動部８７の駆動ギアを回転可能に軸支する回動軸８４５Ｂ（図１０）が形成されている。
【００６４】
この補助板８４において、＋Ｙ軸方向端部（上端部）には、図８に示すように、シフトカバー８９を位置決めするための２つの位置決め突起８４６Ａ、および、固定するための２つのねじ孔８４６Ｂが形成されている。
また、この補助板８４において、＋Ｘ軸方向端面には、支持板８５を固定するための固定用筒８４７Ａ,８４７Ｂ（図１０）と、第１の調整駆動部８６のダイアルギア、第２中間ギアおよび駆動ギアを回転可能に軸支する回動軸８４８Ａ，８４８Ｂ,８４８Ｃ（図９、図１０）とが形成されている。なお、固定用筒８４７Ａ,８４７Ｂには、−Ｘ軸方向に向かってねじ孔が形成されている。
さらに、この補助板８４において、＋Ｚ軸方向端面には、図６〜図８に示すように、複数の補強リブ８４９が立設されている。このような補強リブ８４９を設けることで、投射位置調整装置８への外力の影響を緩和し、外力による投射位置のずれを抑制している。
【００６５】
この補助板８４において、−Ｚ軸方向端面には、第２の移動板８３の係合突起８３４に対応する位置に、Ｘ軸方向に沿って伸びる係合凹部８４０（図１０）が形成されている。この係合凹部８４０は、係合突起８３４のＸ軸方向の長さ寸法に第２の移動板８３のＸ軸方向への移動量を加えた寸法よりも大きい長さ寸法を有するように形成されている。投射位置調整装置８を組み合わせた状態では、第２の移動板８３の係合突起８３４が補助板８４の係合凹部８４０に挿通される。そして、第２の移動板８３は、係合突起８３４および係合凹部８４０により案内されて補助板８４に対してＸ軸方向に移動する。
【００６６】
支持板８５は、図６〜図８に示すように固定板８１、第１の移動板８２、第２の移動板８３、および補助板８４に対して＋Ｘ軸方向側に配置され、第１の調整駆動部８６を支持するとともに、固定板８１および補助板８４の接続状態を補強する部分である。
この支持板８５では、図８に示すように、−Ｙ軸方向側（下方側）の部位８５２が、＋Ｙ軸方向側（上方側）の部位８５１が対して、＋Ｘ軸方向に膨出している。
この支持板８５において、部位８５１の＋Ｙ軸方向側（上方側）には、図８に示すように、表裏を貫通する軸支部８５３が形成されている。そして、この軸支部８５３には、第１の調整駆動部８６を構成するダイアルギアの軸部が挿通され、ダイアル８６１および前記ダイアルギアが回転可能に軸支される。
【００６７】
さらに、この支持板８５において、部位８５１の＋Ｙ軸方向側（上方側）で＋Ｚ軸方向側の角隅部、および、部位８５１の−Ｙ軸方向側（下方側）の＋Ｚ軸方向側には、固定用孔８５４Ａ,８５４Ｂが形成されている。
この固定用孔８５４Ａ,８５４Ｂを介して、補助板８４の固定用筒８４７Ａ,８４７Ｂのねじ孔にそれぞれ螺合するねじによって、支持板８５が補助板８４に固定される。
さらに、この支持板８５において、部位８５１には、図８に示すように、固定板８１の固定用筒８１４および固定用ねじ孔８１５に対応する位置に、それぞれ固定用孔８５５Ａおよび固定用孔８５５Ｂが形成されている。そして、固定用孔８５５Ａ,８５５Ｂを介して、固定板８１の固定用筒８１４および固定用ねじ孔８１５にねじを螺合することで、支持板８５が固定板８１に対して固定される。
【００６８】
そして、この支持板８５において、部位８５１から部位８５２へかけて、図８に示すように、第１の移動板８２の移動突起８２５,８２６に対応する位置にトラック孔８５６が形成されている。このトラック孔８５６は、図８に示すように、Ｙ軸方向に延びるように形成されている。
投射位置調整装置８を組み立てた状態では、トラック孔８５６に移動突起８２５,８２６が挿通され、第１の移動板８２の移動に応じて移動突起８２５,８２６が支持板８５に機械的に干渉することが回避される。
【００６９】
図９は、第１の調整駆動部８６の構造を示す図である。具体的に、図９は、投射位置調整装置８から支持板８５を取り外した状態を＋Ｘ軸方向から見た図である。なお、図９では、図６〜図８と同様に、投射レンズ３からの投射方向をＺ軸、該Ｚ軸と直交する２つの軸をＸ軸（水平軸）およびＹ軸（垂直軸）とする。
第１の調整駆動部８６は、利用者の操作により第１の移動板８２をＹ軸方向に移動させ、投射レンズ３の投射位置をＹ軸方向に変更させる部分である。この第１の調整駆動部８６は、図８または図９に示すように、ダイアル８６１（図８）と、ダイアルギア８６２と、第１中間ギア８６３と、第２中間ギア８６４と、駆動ギア８６５とを備える。
【００７０】
ダイアル８６１は、その一部が外装筺体２におけるアッパーケース２１の上面から露出し、利用者により操作される操作部である。このダイアル８６１は、図８に示すように、略円柱形状を有し、内部に空間を有する蓋状に形成され、支持板８５の＋Ｘ軸方向側に配置されている。ダイアル８６１の中心には、固定用の孔が形成されている。
【００７１】
ダイアルギア８６２は、ダイアル８６１と係合し、ダイアル８６１とともに回転し、該回転を第１中間ギア８６３に伝達するものであり、図８に示すように、支持板８５の−Ｘ軸方向側に配置される。このダイアルギア８６２は、図８または図９に示すように、軸部８６２Ａと、歯車８６２Ｂとで構成される。
軸部８６２Ａは、円柱形状を有し、先端面から歯車８６２Ａ側へ向かってねじ孔（図示略）が形成されている。この軸部８６２Ａのねじ孔に、＋Ｘ軸方向から、ダイアル８６１の中心の孔、および、支持板８５の８５３を介したねじが螺合されることにより、ダイアル８６１が支持板８５に軸支される。
歯車８６２Ｂは、軸部８６２Ａの基端部分と接続し、第１中間ギア８６３の後述する第１歯車と噛合し、ダイアル８６１の回転を第１中間ギア８６３に伝達する。この歯車８６２Ｂの回転中心には、図９に示すように、円孔８６２Ｂ１が形成され、投射位置調整装置８を組み立てた状態では、該円孔８６２Ｂ１が補助板８４の回動軸８４８Ａに挿通され、ダイアルギア８６２が回動軸８４８Ａに回転可能に軸支される。
【００７２】
第１中間ギア８６３は、ダイアルギア８６２の歯車８６２Ｂ、および、第２中間ギア８６４の歯車８６４Ａと噛合するものであり、支持板８５の−Ｘ軸方向側に配置される。第１中間ギア８６３は、ダイアルギア８６２の回転を第２中間ギア８６４に伝達する。
第２中間ギア８６４は、図８に示すように、径寸法が大きい第１歯車８６４Ａと、径寸法が小さい第２歯車８６４Ｂとが一体的に構成されたものであり、支持板８５の−Ｘ軸方向側に配置される。
第１歯車８６４Ａは、第１中間ギア８６３と噛合するものである。
第２歯車８６４Ｂは、駆動ギア８６５の噛合部と噛合するものであり、第１歯車８６４Ａとともに第１中間ギア８６３の回転を駆動ギア８６５に伝達する。そして、第２中間ギア８６４の回転中心には、図９に示すように、円孔８６４Ｃが形成され、投射位置調整装置８を組み立てた状態では、該円孔８６４Ｃが補助板８４の回動軸８４８Ｂに挿通され、第２中間ギア８６４が回動軸８４８Ｂに回転可能に軸支される。
【００７３】
駆動ギア８６５は、図８または図９に示すように、平面視扇形状を有し、支持板８５の−Ｘ軸方向側に配置される。この駆動ギア８６５は、図９に示すように、ギア本体８６５Ａと、噛合部８６５Ｂとで構成される。
ギア本体８６５Ａは、固定板８１の回動軸８４８Ｃに回転可能に軸支される部分であり、基端部分に補助板８４の回動軸８４８Ｃを挿通可能とする円孔８６５Ｃが形成されている。
また、ギア本体８６５Ａには、円孔８６５Ｃの中心位置から放射状に拡がる方向に延びるトラック孔８６５Ｄが形成されている。そして、このトラック孔８６５Ｄには、投射位置調整装置８を組み立てた状態で、第１の移動板８２の移動突起８２５が挿通される。
噛合部８６５Ｂは、ギア本体８６５Ａの先端部分の円弧状部分に形成され、第２中間ギア８６４の第２歯車８６４Ｂと噛合する。
【００７４】
以上のような構成により、利用者がＹ１方向（図９）にダイアル８６１を回転させると、該ダイアル８６１の回転がダイアルギア８６２、第１中間ギア８６３および第２中間ギア８６４にて駆動ギア８６５に伝達され、駆動ギア８６５が回動軸８４８Ｃを中心としてＹ５方向（図９）に回転する。
この際、トラック孔８６５Ｄにて移動突起８２５が案内され、第１の移動板８２が−Ｙ軸方向（下方向）に移動する。そして、第１の移動板８２とともに、投射レンズ３が−Ｙ軸方向（下方向）に移動し、投射位置が−Ｙ軸方向（下方向）に調整される。
また、利用者がＹ２方向（図９）にダイアル８６１を回転させた場合には、上記と逆に、駆動ギア８６５が回動軸８４８Ｃを中心としてＹ６方向（図９）に回転する。この際、トラック孔８６５Ｄにて移動突起８２５が案内され、第１の移動板８２が＋Ｙ軸方向（上方向）に移動し、投射位置が＋Ｙ軸方向（上方向）に調整される。
【００７５】
図１０は、第２の調整駆動部８７の構造を示す図である。具体的に、図１０は、補助板８４に第２の調整駆動部８７が配置された状態を−Ｚ軸方向から見た図である。なお、図１０では、図６〜図８と同様に、投射レンズ３からの投射方向をＺ軸、該Ｚ軸と直交する２つの軸をＸ軸（水平軸）およびＹ軸（垂直軸）とする。
【００７６】
第２の調整駆動部８７は、利用者の操作により第２の移動板８３をＸ軸方向に移動させ、該第２の移動板８３の移動に第１の移動板８２が連動することで、投射レンズ３の投射位置をＸ軸方向に変更させる部分である。この第２の調整駆動部８７は、第１の調整駆動部８７のダイアル８６１（裏面の孔を含む）、ダイアルギア８６２（軸部８６２Ａ、歯車８６２Ｂ、および円孔８６２Ｂ１を含む）、第２中間ギア８６４（第１歯車８６４Ａ、第２歯車８６４Ｂ、および円孔８６４Ｃを含む）、駆動ギア８６５（ギア本体８６５Ａ、噛合部８６５Ｂ、円孔８６５Ｃ、およびトラック孔８６５Ｄを含む）と同様の、ダイアル８７１（裏面の孔を含む）、ダイアルギア８７２（軸部８７２Ａ、歯車８７２Ｂ、および円孔８７２Ｂ１を含む）、中間ギア８７３（第１歯車８７３Ａ、第２歯車８７３Ｂ、および円孔８７３Ｃを含む）、駆動ギア８７４（ギア本体８７４Ａ、噛合部８７４Ｂ、円孔８７４Ｃ、およびトラック孔８７４Ｄを含む）を備える。
【００７７】
ダイアル８７１は、その一部が外装筐体２におけるアッパーケース２１の上面から露出し、利用者により操作される操作部であり、図８に示すように、補助板８４の＋Ｚ軸方向側に配置され、補助板８４の凹部８４３に配置される。
ダイアルギア８７２は、図８に示すように、補助板８４の−Ｚ軸方向側に配置される。そして、このダイアルギア８７２は、投射位置調整装置８を組み立てた状態で、図８に示すように、軸部８７２Ａが補助板８４の挿通孔８４４Ａに挿通される。そして、軸部８７２Ａのねじ孔とダイアル８７１の裏面における孔とが螺合されることにより、ダイアル８７１が補助板８４に軸支される。
中間ギア８７３は、図１０に示すように、補助板８４の−Ｚ軸方向側に配置される。そして、この中間ギア８７３は、投射位置調整装置８を組み立てた状態で、図１０に示すように、円孔８７３Ｃに補助板８４の回動軸８４５Ａに挿通され、中間ギア８７３が回動軸８４５Ａに回転可能に軸支される。
【００７８】
駆動ギア８７４は、図８に示すように、補助板８４の−Ｚ軸方向側に配置される。そして、この駆動ギア８７４は、投射位置調整装置８を組み立てた状態で、図１０に示すように、円孔８７４Ｃに補助板８４の回動軸８４５Ｂが挿通され、駆動ギア８７４が回動軸８４５Ｂに回転可能に軸支される。また、駆動ギア８７４は、投射位置調整装置８を組み立てた状態で、トラック孔８７４Ｄに第２の移動板８３の移動突起８３３が挿通される。
【００７９】
以上のような構成により、利用者がＸ１方向（図１０）にダイアル８７１を回転させると、該ダイアル８７１の回転がダイアルギア８７２および中間ギア８７３にて駆動ギア８７４に伝達され、駆動ギア８７４が回動軸８４５Ｂを中心としてＸ５方向（図１０）に回転する。この際、トラック孔８７４Ｄにて移動突起８３３が案内され、第２の移動板８３が−Ｘ軸方向に移動する。ここで、第２の移動板８３の摺動突起８３０と第１の移動板８２のレール溝８２４により、第２の移動板８３とともに第１の移動板８２が−Ｘ軸方向に移動する。そして、第１の移動板８２とともに、投射レンズ３が−Ｘ軸方向に移動し、投射位置が−Ｘ軸方向に調整される。
また、利用者がＸ２方向（図１０）にダイアル８７１を回転させた場合には、上記と逆に、駆動ギア８７４が回動軸８４５Ｂを中心としてＸ６方向（図１０）に回転する。この際、トラック孔８７４Ｄにて移動突起８３３が案内され、第２の移動板８３および第１の移動板８２が＋Ｘ軸方向に移動し、投射位置が＋Ｘ軸方向に調整される。
【００８０】
シフトカバー８９は、図６〜図８に示すように、投射位置調整装置８の＋Ｙ軸方向端部側（上端部側）、および投射レンズ３の＋Ｙ軸方向側（上方側）に配置されている。
このシフトカバー８９は、固定板８１および補助板８４に固定される部分であり、平面視矩形状の板体から構成される。
【００８１】
このシフトカバー８９には、図８に示すように、固定板８１の２つのねじ孔８１６、および補助板８４の２つのねじ孔８４６Ｂに対応して、４つの固定用孔８９Ａが形成されている。また、固定板８１の位置決め突起８１７、および、補助板８４の２つの位置決め突起８４６Ａに対応して、３つの位置決め用孔８９Ｂが形成されている。
そして、３つの位置決め用孔８９Ｂに、それぞれ位置決め突起８１７,８４６Ａを挿通することで、各部材８１〜８４に対してシフトカバー８９が位置決めされ、４つの固定用孔８９Ａを介してねじ（図示略）を固定板８１および補助板８４の各ねじ孔８１６，８４６Ｂに螺合することで、各部材８１〜８４に対してシフトカバー８９が固定される。
また、このシフトカバー８９には、図８に示すように、第２の調整駆動部８７のダイアル８７１に対応して、開口部８９Ｃ形成されている。すなわち、各部材８１〜８４に対してシフトカバー８９を固定した状態では、開口部８９Ｃを介してダイアル８７１の一部が露出することとなる。
【００８２】
付勢部材８８は、図８に示すように、第１の移動板８２および第２の移動板８３の間に配置される４つの第１付勢部材８８Ａと、第２の移動板８３およびシフトカバー８９の間に配置される１つの第２付勢部材８８Ｂとで構成される。
４つの第１付勢部材８８Ａは、止め具８８Ａ１と、ばね８８Ａ２とから構成される。そして、図８に示すように、第１の移動板８２の４つの付勢用孔８２３に、それぞれ、＋Ｚ軸方向から、ばね８８Ａ２が挿入され、さらに、挿入されたばね８８Ａ２を介して止め具８８Ａ１が嵌合されている。このため、止め具８８Ａ１にはＺ軸方向の付勢が働く。
従って、投射位置調整装置８を組み立てた状態では、これら第１付勢部材８８Ａは、第１の移動板８２を固定板８１に対して付勢するとともに、第２の移動板８３を補助板８４に対して付勢する。
【００８３】
これにより、投射位置調整装置８を組み立てた状態では、第２の移動板８３を第１移動板８２および補助板８４に対して付勢することができる。このため、第２の移動板８３と第１の移動板８２および補助板８４との間に製造公差等により生じる隙間を第１付勢部材８８Ａにより埋めることができ、第２の移動板８３をＸ軸方向に移動させる際に、第２の移動板８３がガタつくことがなく、第２の移動板８３を良好に移動させることができる。また、第１付勢部材８８Ａを上記のように介装することで、第１の移動板８２も固定板８１に対して付勢されることとなり、固定板８１に対して第１の移動板８２も良好に移動させることができる。したがって、各移動板８２，８３を移動させ投射位置を調整する際に投射位置が波打つことなく、投射位置をさらに高精度に調整できる。
【００８４】
第２付勢部材８８Ｂは、図８に示すように、樹脂材料を成形加工により形成した円筒形状を有する成形品である。そして、この第２付勢部材８８Ｂは、円筒軸方向がＺ軸方向に向くように第２の移動板８３の凹部８３５に配置される。そして、投射位置調整装置８を組み立てた状態では、この第２付勢部材８８Ｂは、第２の移動板８３を補助板８４に対して−Ｙ軸方向（下方向）に付勢する。すなわち、補助板８４の係合凹部８４０に対して第２の移動板８３の係合突起８３４が−Ｙ軸方向（下方向）に付勢されることとなる。
【００８５】
これより、第２の移動板８３と補助板８４との間に製造公差等により生じる隙間を第２付勢部材８８Ｂにより埋めることができ、第２の移動板８３をＸ軸方向に移動させる際に、第２の移動板８３がガタつくことがなく、第２の移動板８３を良好に移動させることができる。したがって、第２の移動板８３をＸ軸方向に移動させ投射位置をＸ軸方向に調整する際に投射位置が波打つことなく、投射位置をさらに高精度に調整できる。
【００８６】
〔6-2．投射レンズ３の構成〕
図１１は、投射レンズ３の構造を示す分解斜視図である。なお、図１１では、図６〜図８と同様に、投射レンズ３からの投射方向をＺ軸、該Ｚ軸と直交する２つの軸をＸ軸（水平軸）およびＹ軸（垂直軸）とする。
投射レンズ３は、図１１に示すように、鏡筒３１と、フランジ部３２とを備えている。そして、鏡筒３１は、レンズ部９１と、ズーム調整リング９２と、フォーカス調整リング９４とを備えている。
レンズ部９１は、レンズ９１１と、レンズ９１１を支持するレンズ枠９１２とを備えている。レンズ９１１は、投射レンズ３の鏡筒３１の円筒径と略同等の径寸法を有する円形状レンズである。レンズ部９１は、鏡筒３１の筒内部に配置される。
【００８７】
ズーム調整リング９２は、鏡筒３１に嵌合し、つまみ９２１の移動に応じて、鏡筒３１にレンズ部９１の位置を変更させ、投影画像の倍率調整を実施させる。
具体的には、ズーム調整リング９２は、図１１に示すように、投射レンズ３の鏡筒３１よりも大きい径寸法を有する略円筒形状部材である。このズーム調整リング９２において、円筒形状外周面には、図１１に示すように、外側に突出したつまみ９２１が形成されている。そして、つまみ９２１が利用者により操作され、つまみ９２１が円筒周方向に移動すると、ズーム調整リング９２が円筒軸を中心として回転する。
ズーム調整リング９２は、複数の部材で構成された鏡筒３１のうち、回転することでレンズ部９１の位置を変更し投影画像の倍率調整を実施する部材（図示略）に取り付けられており、周方向の回転により前記部材を回転させる。
【００８８】
また、ズーム調整リング９２の円筒側面の−Ｚ軸方向端部には、円筒外周から外側に向かって膨出するリング枠部９２２が形成されている。このリング枠部９２２の外周面には、円筒軸中心に向かって陥設された係合溝９２３が円筒外周に沿って形成されている。
【００８９】
フォーカス調整リング９４は、複数の部材で構成された鏡筒３１のうち回転することでレンズ部９１の位置を変更し投影画像の焦点調整を実施する部材（図示略）に取り付けられており、周方向の回転により前記部材を回転させる。このフォーカス調整リング９４は、図１１に示すように、平面視円形枠状に形成されている。
【００９０】
〔７．移動抑制機構１０の構成〕
図１１〜図１３を用いて、移動抑制機構１０の構成を説明する。
図１２は、フロントケース２３（図１）の内面側の構成を示す斜視図、図１３は、組み立てられた状態の移動抑制機構１０を示す斜視図である。なお、図１２および図１３は、図６〜図８と同様に、投射レンズ３からの投射方向をＺ軸、該Ｚ軸と直交する２つの軸をＸ軸（水平軸）およびＹ軸（垂直軸）とする。
移動抑制機構１０は、フロントケース２３の開口２３１および投射レンズ３の間に生じる隙間を遮蔽し、かつ、投射位置調整装置８を落下等による衝撃から保護する。この移動抑制機構１０は、図１３に示すように、投射位置調整装置８と、フロントケース２３との間に配置される。
移動抑制機構１０は、図１１〜図１３に示すように、筐体側延出部としてのベースプレート１１と、鏡筒側延出部としてのフランジリング１２と、弾性体としてのクッションリング１３とを備える。
【００９１】
ベースプレート１１は、図１２に示すように、フロントケース２３の内面に設けられている。ベースプレート１１は、フロントケース２３の開口２３１と同じ寸法の開口１１Ａを有する環状部材である。ベースプレート１１は、開口１１Ａを開口２３１に重ね合わせた状態でフロントケース２３に固定されている。
具体的には、ベースプレート１１には、開口１１Ａに沿って等間隔に複数の孔１１Ｂが形成されている。さらに、フロントケース２３の開口２３１の内面側周縁部には、ベースプレート１１側へ突出する突起部（図示略）が、孔１１Ｂと同様に、開口２３１に沿って等間隔に形成されている。この突起部には、孔（図示略）が形成されている。ベースプレート１１は、これら孔１１Ｂ、および、突起部の孔を挿通するボルト部材によって、フロントケース２３に接合されている。
【００９２】
フランジリング１２は、図１１に示すように、フォーカス調整リング９２の円筒外周に嵌合する環状部材であり、延出片としての第１フランジ１２１および第２フランジ１２２から構成されている。
第１フランジ１２１および第２フランジ１２２は、鏡筒３１の円筒軸を中心とする半円弧形状を有し、この半円弧がＺ軸方向に直交する面に沿って円周上に拡張する半環状板部材である。そして、第１フランジ１２１および第２フランジ１２２の内側円周は、リング枠部９２２の円筒外周と略同径である。
【００９３】
第１フランジ１２１において、一方の周端部には、第１フランジ１２１のＺ軸方向寸法より僅かに薄いＺ軸方向寸法で、周方向に沿って突出する係止凸部１２１Ａが形成されている。そして、第１フランジ１２１の他方の周端部には、第１フランジ１２１のＺ軸方向寸法より僅かに薄いＺ軸方向寸法で−Ｚ軸方向へ向かって陥没された係合凹部１２１Ｂが形成されている。
第２フランジ１２２の周端部においても、第１フランジ１２１の係止凸部１２１Ａおよび係合凹部１２１Ｂと同様の、係止凸部（図示略）および係合凹部１２２Ｂが形成されている。
【００９４】
これら第１フランジ１２１および第２フランジ１２２は、その内側円周縁が、リング枠部９２２の係合溝９２３に嵌合されることにより、フォーカス調整リング９２に取り付けられる。そして、このように内側円周縁をリング枠部９２２の係合溝９２３に嵌合させながら、第１フランジ１２１の係止凸部１２１Ａ、および、第２フランジ１２２の係合凹部１２２Ｂが周方向に沿って係合し、第２フランジ１２２の係止凸部、および、第１フランジ１２１の係合凹部１２１Ｂが周方向に沿って係合することで、フランジリング１２が構成される。
構成されたフランジリング１２の外側円周は、移動抑制機構１０が、投射レンズ３および投射位置調整装置８とともに組み立てられた状態で、投射レンズ３が投射方向に直交する方向へ移動しても、常にベースプレート１１の開口１１Ａを覆うことのできる径を有している。
【００９５】
このように、フランジリング１２は、半円弧形状を有する第１フランジ１２１および第２フランジ１２２から構成されているため、フランジリング１２の成型が容易となり、さらに、第１フランジ１２１および第２フランジ１２２を鏡筒３１を介して嵌合させれば、、フランジリング１２を鏡筒３１へ容易に嵌合させることができる
【００９６】
クッションリング１３は、プロジェクタ１が組み立てられた状態で、ベースプレート１１およびフランジリング１２の間に介在される。クッションリング１３は、図１１に示すように、フランジリング１２の＋Ｚ軸方向側で、フォーカス調整リング９２に嵌合する環状の伸縮性部材である。
クッションリング１３の内側円周は、フォーカス調整リング９２の円筒外周と略同径であり、クッションリング１３は、フォーカス調整リング９２の円筒外周との間に隙間を作らずに、フォーカス調整リング９２に嵌合している。
さらに、クッションリング１３の外側円周は、フランジリング１２の外側円周と略同径（開口２３１よりも大きい径寸法）であり、すなわち、図１３に示すように、クッションリング１３の−Ｚ軸方向側端面は、フランジリング１２の＋Ｚ軸方向端面をほぼ被覆している。
【００９７】
移動抑制機構１０が、投射レンズ３および投射位置調整装置８とともに組み立てられると、図１３に示すように、クッションリング１３は、ベースプレート１１およびフランジリング１２により把持される。ベースプレート１１およびフロントケース２３のＹ軸方向距離は、クッションリング１３の厚み（Ｙ軸方向寸法）と比べて小さいため、クッションリング１３は、Ｚ軸方向に圧縮された状態で把持される。従って、クッションリング１３は、自身の復元力によって、ベースプレート１１およびフランジリング１２に対して、開口２３１の周縁に沿って隙間無く当接している。
【００９８】
次に、落下等によりプロジェクタ１（図１）に衝撃が加えられた際の移動抑制機構１０の動作について説明する。
プロジェクタ１に強い力が加えられると、投射レンズ３および投射位置調整装置８が外装筐体２に対して＋Ｚ方向へ振動し、投射レンズ３がフロントケース２３の内面に接近する場合が考えられる。
このとき、移動抑制機構１０を構成するベースプレート１１およびフランジリング１２が、投射位置方向に平面的に干渉することにより、投射レンズ３のフロントケース２３内面側への移動を抑止することができる。
さらに、ベースプレート１１およびフランジリング１２は、ともに投射方向に直交する方向に延出する平面を有し、これら平面が互いに干渉するので、投射レンズ３がフロントケース２３内面側へ移動しようとする力をこれら平面上で分散させることができる。
【００９９】
そして、フランジリング１２は、投射レンズ３の鏡筒３１の外周面に固定され前記外周面から外側に広がるように延出している。このため、投射レンズ３が、鏡筒３１の筒軸が投射方向から傾く方向に振動したとしても、フランジリング１２の一部がベースプレート１１に干渉するので、投射レンズ３が傾いて振動した場合でも、投射レンズ３がフロントケース２３内面に衝突することを防ぐことができる。
また、投射レンズ３が、開口が形成されたフロントケース２３内面へ向かって振動しようとしても、ベースプレート１１およびフランジリング１２の間に介在されたクッションリング１３により、衝撃を吸収することができる。
従って、本発明のプロジェクタ１は、投射レンズ３における投射方向に直交する平面に対する面外方向の移動を抑制するため、落下等による衝撃から投射レンズ３を保護することができる。
【０１００】
さらに、本実施形態のプロジェクタ１によれば、クッションリング１３は、ベースプレート１１およびフランジリング１２の間に介在配置されているため、開口２３１と鏡筒３１の隙間を通して異物が侵入したり光が漏洩したりすることはない。従って、本発明のプロジェクタ１は、投射レンズ３周辺の外装筐体２内部の優良な遮光性および遮蔽性を実現することができる。
【０１０１】
〔８．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
前記実施形態では、ベースプレート１１、フランジリング１２およびクッションリング１３は、全て外周円を有する環状部材としたが、本発明では、各部材１１，１２，１３は、投射方向に直交する方向に延出された平面を有すればよく、例えば、矩形外周を有する部材であってもよい。
本発明では、各部材１１，１２，１３において、ベースプレート１１とクッションリング１３との間、および、フランジリング１３とクッションリング１２との間で、大きい摩擦が得られるような材料を採用することで、投射レンズ３の投射方向と直交する面内方向への振動を抑止することもできる。
【０１０２】
前記実施形態では、第１の調整駆動部８６を駆動することで第１の移動板８２をＹ軸方向に移動させ、第２の調整駆動部８７を駆動することで第２の移動板８３をＸ軸方向に移動させていたが、これに限らない。例えば、第１の調整駆動部を駆動することで第１の移動板をＸ軸方向に移動させ、第２の調整駆動部を駆動することで第２の移動板をＹ軸方向に移動させる構造を採用してもよい。
前記実施形態では、投射位置調整装置８は、投射レンズ３を投射方向に直交する方向であるＸ軸方向（図１３）およびＹ軸方向（図１３）に移動させることができるとしたが、本発明では、投射位置調整装置８は、投射レンズ３をどちらか一方の軸方向に移動させることができる構成であってもよい。
【０１０３】
前記実施形態では、光学ユニット４が平面視略Ｌ字形状を有した構成を説明したが、これに限らず、例えば、平面視略Ｕ字形状を有した構成を採用してもよい。
前記実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
【０１０４】
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板は省略できる。
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【０１０５】
本発明は、プロジェクタに利用することができる。
【図面の簡単な説明】
【０１０６】
【図１】本実施形態におけるプロジェクタの外観を示す斜視図。
【図２】前記実施形態におけるプロジェクタの外観を示す斜視図。
【図３】前記実施形態におけるプロジェクタの内部構成を示す図。
【図４】前記実施形態におけるプロジェクタの内部構成を示す図。
【図５】前記実施形態における光学ユニットの光学系を模式的に示す平面図。
【図６】前記実施形態における投射位置調整装置を投射方向前方側から見た斜視図。
【図７】前記実施形態における投射位置調整装置を投射方向後方側から見た斜視図。
【図８】前記実施形態における投射位置調整装置の分解斜視図。
【図９】前記実施形態における第１の調整駆動部の構造を示す図。
【図１０】前記実施形態における第２の調整駆動部の構造を示す図
【図１１】前記実施形態における投射レンズの構成を示す分解斜視図。
【図１２】前期実施形態におけるフロントケース内面の構成を示す斜視図。
【図１３】前記実施形態における移動抑制機構の構成を示す斜視図。
【符号の説明】
【０１０７】
１…プロジェクタ、２…外装筐体、２３…フロントケース、２３１…開口、３…投射レンズ（投射光学装置）、３１…鏡筒、４…光学ユニット（画像投射装置）、４１１Ａ…光源ランプ（光源）、４４１…液晶パネル（光変調装置）、８…投射位置調整装置、９１１…レンズ、１０…移動抑制機構、１１…ベースプレート（筐体側延出体）、１２…フランジリング（鏡筒側延出体）、１３…クッションリング（弾性体）
【図１】
2007078859.tif 000003
【図２】
2007078859.tif 000004
【図３】
2007078859.tif 000005
【図４】
2007078859.tif 000006
【図５】
2007078859.tif 000007
【図６】
2007078859.tif 000008
【図７】
2007078859.tif 000009
【図８】
2007078859.tif 000010
【図９】
2007078859.tif 000011
【図１０】
2007078859.tif 000012
【図１１】
2007078859.tif 000013
【図１２】
2007078859.tif 000014
【図１３】
2007078859.tif 000015